(57)【要約】      （修正有）【課題】自動的に生体認証アプリケーションを実行できる携帯式のストレージ装置の提供。【解決手段】携帯式のストレージ装置は、制御モジュール、ストレージユニット及び生体センサーを含む。制御モジュールは、端末ホスト、ストレージユニット及び生体センサーと電気的に接続する。制御モジュールにはファームウェアが配置される。ファームウェアは、ストレージユニットは、少なくとも一つの生体認証のアプリケーションブロック、及びプライベートブロックを含む複数のブロックと分けて設計される。生体認証のアプリケーションブロックは、少なくとも一つの生体認証のアプリケーションを内蔵するため、端末ホストのＯＳが生体認証のアプリケーションブロックを光学ディスクのストレージ装置とみなさせる。また、自動的に少なくとも一つの生体認証のアプリケーションを実行した後、当該光学ディスクのストレージ装置を停止する。【選択図】図１
2006338670.tif 000002
【特許請求の範囲】
【請求項１】
自動的に生体認証アプリケーションを実行できる携帯式のストレージ装置であり、基本的に、制御モジュール（Ｃｏｎｔｒｏｌ  Ｍｏｄｕｌｅ）、生体センサー（Ｂｉｏｍｅｔｒｉｃ ｓｅｎｓｏｒ）及びストレージユニット（Ｓｔｏｒａｇｅ Ｕｎｉｔ）を包含し、  制御モジュールは、ランダムアクセスメモリ（ＲＡＭ， Ｒａｎｄｏｍ Ａｃｃｅｓｓ Ｍｅｍｏｒｙ）及び読み出し専用記憶装置（ＲＯＭ， Ｒｅａｄ−ｏｎｌｙ Ｍｅｍｏｒｙ）を含み、当該ランダムアクセスメモリ（ＲＡＭ， Ｒａｎｄｏｍ Ａｃｃｅｓｓ Ｍｅｍｏｒｙ）は、データを処理する時のワーキング・メモリーであって、当該読み出し専用記憶装置（ＲＯＭ， Ｒｅａｄ−ｏｎｌｙ Ｍｅｍｏｒｙ）は、当該ストレージ装置を行なわせるファームウェア（Ｆｉｒｍｗａｒｅ）を配置することがあって、当該制御モジュール（Ｃｏｎｔｒｏｌ  Ｍｏｄｕｌｅ）は、ホストインターフェース（Ｈｏｓｔ  Ｉｎｔｅｒｆａｃｅ）を有するため、端末ホスト（Ｔｅｒｍｉｎａｌ Ｈｏｓｔ）と電気的接続し、  生体センサーは、当該制御モジュール（Ｃｏｎｔｒｏｌ  Ｍｏｄｕｌｅ）と電気的接続し、
ストレージユニットは、標準インターフェース（Ｓｔａｎｄａｒｄ Ｉｎｔｅｒｆａｃｅ）で当該制御モジュール（Ｃｏｎｔｒｏｌ  Ｍｏｄｕｌｅ）と電気的接続して、
当該制御モジュール（Ｃｏｎｔｒｏｌ  Ｍｏｄｕｌｅ）に保存されたファームウェア（Ｆｉｒｍｗａｒｅ）は、ストレージユニット（Ｓｔｏｒａｇｅ Ｕｎｉｔ）、生体センサー及び当該端末ホスト（Ｔｅｒｍｉｎａｌ Ｈｏｓｔ）と伝達して、当該ファームウェア（Ｆｉｒｍｗａｒｅ）は、更に下記のように設計されて：
ストレージユニット（Ｓｔｏｒａｇｅ Ｕｎｉｔ）を複数のブロックに分割して、当該ブロックは、少なくともシミュレートされたディスクのストレージ装置の生体認証アプリケーションブロック及び設計されたリムーバブル式（Ｒｅｍｏｖａｂｌｅ）のハードディスクのパブリックブロック（Ｐｕｂｌｉｃ Ｂｌｏｃｋ）を含み、当該生体認証アプリケーションブロックは、少なくとも生体認証アプリケーションを含み、及び、
当該制御モジュール（Ｃｏｎｔｒｏｌ  Ｍｏｄｕｌｅ）は当該端末ホスト（Ｔｅｒｍｉｎａｌ Ｈｏｓｔ）と連接した後、端末ホスト（Ｔｅｒｍｉｎａｌ Ｈｏｓｔ）のオペレーティングシステム（Ｏｐｅｒａｔｉｎｇ Ｓｙｓｔｅｍ）が当該生体認証アプリケーションブロックを光ディスク（Ｏｐｔｉｃａｌ Ｄｉｓｋ）のストレージ装置とさせて、しかも少なくとも一つの生体認証アプリケーションを背景アプリケーションに自動的に実行させて、しかも当該オペレーティングシステム（Ｏｐｅｒａｔｉｎｇ Ｓｙｓｔｅｍ）に呼びファンクション（Ｃａｌｌ ｆｕｎｃｔｉｏｎ）をインストールさせた後、当該光ディスク（Ｏｐｔｉｃａｌ Ｄｉｓｋ）のストレージ装置を閉じて、そして、当該オペレーティングシステム（Ｏｐｅｒａｔｉｎｇ Ｓｙｓｔｅｍ）が当該パブリックブロック（Ｐｕｂｌｉｃ Ｂｌｏｃｋ）を第一リムーバブル式（Ｒｅｍｏｖａｂｌｅ）のハードディスクとさせて、アクセスすることを特徴とする自動的に生体認証アプリケーションを実行できる携帯式のストレージ装置。
【請求項２】
当該ファームウェア（Ｆｉｒｍｗａｒｅ）は、更に当該ストレージ装置が端末ホスト（Ｔｅｒｍｉｎａｌ Ｈｏｓｔ）と切断した後、端末ホスト（Ｔｅｒｍｉｎａｌ Ｈｏｓｔ）の当該オペレーティングシステム（Ｏｐｅｒａｔｉｎｇ Ｓｙｓｔｅｍ）を自動的に呼びファンクション（Ｃａｌｌ ｆｕｎｃｔｉｏｎ）をリムーブすることと設計されることを特徴とする請求項１記載の自動的に生体認証アプリケーションを実行できる携帯式のストレージ装置。
【請求項３】
当該ファームウェア（Ｆｉｒｍｗａｒｅ）は、少なくとも一つの生体認証のアプリケーションが、当該光ディスク（Ｏｐｔｉｃａｌ Ｄｉｓｋ）ストレージ装置が閉じられた時、オペレーティングシステム（Ｏｐｅｒａｔｉｎｇ Ｓｙｓｔｅｍ）から生じられた警告メッセージをリムーブすることに用いられることと設計することを特徴とする請求項１記載の自動的に生体認証アプリケーションを実行できる携帯式のストレージ装置。
【請求項４】
当該ブロックは、更にプライベートブロック（Ｐｒｉｖａｔｅ Ｂｌｏｃｋ）を含み、しかも当該呼びファンクション（Ｃａｌｌ ｆｕｎｃｔｉｏｎ）が呼ばれている時、当該少なくとも一つの生体認証アプリケーションは、ユーザーを導いて生体認証のプロセスを行なって、生体認証のプロセスを行なわせた後、ファームウェア（Ｆｉｒｍｗａｒｅ）が、プライベートブロック（Ｐｒｉｖａｔｅ Ｂｌｏｃｋ）を第二リムーバブル式（Ｒｅｍｏｖａｂｌｅ）のハードディスクとさせてアクセスすることを特徴とする請求項１記載の自動的に生体認証アプリケーションを実行できる携帯式のストレージ装置。
【請求項５】
当該生体認証プロセスをパスした後、当該ファームウェア（Ｆｉｒｍｗａｒｅ）は、当該オペレーティングシステム（Ｏｐｅｒａｔｉｎｇ Ｓｙｓｔｅｍ）が、当該第一リムーバブル式（Ｒｅｍｏｖａｂｌｅ）のハードディスクを閉じさせて、しかも当該プライベートブロック（Ｐｒｉｖａｔｅ Ｂｌｏｃｋ）を第二リムーバブル式（Ｒｅｍｏｖａｂｌｅ）のハードディスクとしてアクセスすることを特徴とする請求項４記載の自動的に生体認証アプリケーションを実行できる携帯式のストレージ装置。
【請求項６】
自動的に生体認証アプリケーションを実行できる携帯式のストレージ装置であって、基本的に、制御モジュール（Ｃｏｎｔｒｏｌ  Ｍｏｄｕｌｅ）、生体センサー（Ｂｉｏｍｅｔｒｉｃ ｓｅｎｓｏｒ）及びストレージユニット（Ｓｔｏｒａｇｅ Ｕｎｉｔ）を包含し、
制御モジュールは、ランダムアクセスメモリ（ＲＡＭ， Ｒａｎｄｏｍ Ａｃｃｅｓｓ Ｍｅｍｏｒｙ）及び読み出し専用記憶装置（ＲＯＭ， Ｒｅａｄ−ｏｎｌｙ Ｍｅｍｏｒｙ）を含み、当該ランダムアクセスメモリ（ＲＡＭ， Ｒａｎｄｏｍ Ａｃｃｅｓｓ Ｍｅｍｏｒｙ）は、データを処理する時のワーキング・メモリーであって、当該読み出し専用記憶装置（ＲＯＭ， Ｒｅａｄ−ｏｎｌｙ Ｍｅｍｏｒｙ）は、当該ストレージ装置を行なわせるファームウェア（Ｆｉｒｍｗａｒｅ）を配置することがあって、当該制御モジュール（Ｃｏｎｔｒｏｌ  Ｍｏｄｕｌｅ）は、ホストインターフェース（Ｈｏｓｔ  Ｉｎｔｅｒｆａｃｅ）を有するため、端末ホスト（Ｔｅｒｍｉｎａｌ Ｈｏｓｔ）と電気的接続して、
生体センサーは、当該制御モジュール（Ｃｏｎｔｒｏｌ  Ｍｏｄｕｌｅ）と電気的接続して、
ストレージユニットは、標準インターフェース（Ｓｔａｎｄａｒｄ Ｉｎｔｅｒｆａｃｅ）で当該制御モジュール（Ｃｏｎｔｒｏｌ  Ｍｏｄｕｌｅ）と電気的接続して、
当該制御モジュール（Ｃｏｎｔｒｏｌ  Ｍｏｄｕｌｅ）に保存されたファームウェア（Ｆｉｒｍｗａｒｅ）は、ストレージユニット（Ｓｔｏｒａｇｅ Ｕｎｉｔ）、生体センサー及び当該端末ホスト（Ｔｅｒｍｉｎａｌ Ｈｏｓｔ）と伝達して、当該ファームウェア（Ｆｉｒｍｗａｒｅ）は、更に下記のように設計されて：
ストレージユニット（Ｓｔｏｒａｇｅ Ｕｎｉｔ）を複数のブロックに分割して、当該ブロックは、少なくともシミュレートされたディスクのストレージ装置の生体認証アプリケーションブロック及びプライベートブロック（Ｐｒｉｖａｔｅ Ｂｌｏｃｋ）を含み、当該生体認証アプリケーションブロックは、少なくとも生体認証アプリケーションを含み、及び、
当該制御モジュール（Ｃｏｎｔｒｏｌ  Ｍｏｄｕｌｅ）は当該端末ホスト（Ｔｅｒｍｉｎａｌ Ｈｏｓｔ）と連接した後、端末ホスト（Ｔｅｒｍｉｎａｌ Ｈｏｓｔ）のオペレーティングシステム（Ｏｐｅｒａｔｉｎｇ Ｓｙｓｔｅｍ）が当該生体認証アプリケーションブロックを光ディスク（Ｏｐｔｉｃａｌ Ｄｉｓｋ）のストレージ装置とさせて、しかも少なくとも一つの生体認証アプリケーションを前景アプリケーションに自動的に実行させて、ユーザーを導いて生体認証のプロセスを行なうことができて、及び、
ユーザーが生体認証のプロセスをパスした後、当該ファームウェア（Ｆｉｒｍｗａｒｅ）は、当該オペレーティングシステム（Ｏｐｅｒａｔｉｎｇ Ｓｙｓｔｅｍ）が光ディスク（Ｏｐｔｉｃａｌ Ｄｉｓｋ）を閉じることができて、プライベートブロックをリムーバブル式（Ｒｅｍｏｖａｂｌｅ）のハードディスクとしてアクセスすることを特徴とする自動的に生体認証アプリケーションを実行できる携帯式のストレージ装置。
【請求項７】
当該ファームウェア（Ｆｉｒｍｗａｒｅ）は、更に当該ストレージ装置が端末ホスト（Ｔｅｒｍｉｎａｌ Ｈｏｓｔ）と断線した後、端末ホスト（Ｔｅｒｍｉｎａｌ Ｈｏｓｔ）の当該オペレーティングシステム（Ｏｐｅｒａｔｉｎｇ Ｓｙｓｔｅｍ）を自動的に実行中の当該少なくとも一つの生体認証アプリケーションをリムーブすることと設計されることを特徴とする請求項６記載の自動的に生体認証アプリケーションを実行できる携帯式のストレージ装置。
【請求項８】
当該ファームウェア（Ｆｉｒｍｗａｒｅ）は、少なくとも一つの生体認証のアプリケーションが、当該光ディスク（Ｏｐｔｉｃａｌ Ｄｉｓｋ）ストレージ装置が閉じられた時、オペレーティングシステム（Ｏｐｅｒａｔｉｎｇ Ｓｙｓｔｅｍ）から生じられた警告メッセージをリムーブすることに用いられることと設計することを特徴とする請求項６記載の自動的に生体認証アプリケーションを実行できる携帯式のストレージ装置。
【発明の詳細な説明】
【技術分野】
【０００１】
本発明は、携帯式のストレージ装置に関して、特に、自動的に生体認証アプリケーションを実行できる携帯式のストレージ装置に関するものである。本発明の部分は、下記の特許に関連する：（ａ）特許文献１、出願日：２００３年１２月２日。発明名称：「指紋センサーを含むメモリーストレージ装置及び保存されたファイルの保護方法」。（ｂ）特許文献２、出願日：２００４年４月３０日。発明名称：「生体認証を含む携帯式の暗号化できるストレージ装置及び保存されたファイルの保護方法」。（ｃ）特許文献３、出願日：２００３年１１月２８日。発明名称：「身分認証の電子カキ及びその制御方法」。
【背景技術】
【０００２】
伝統的に、証明書類は個人の身分を証明する一番簡単な表現方式であり、例えば、個人の身分証明ＩＤ、運転免許証等、それらには個人の写真が付着され、文字と数字の記載がある。しかし、身分証明の偽造が非常に簡単であるため、多くの犯罪行為が生じる。
【０００３】
より一層の改良の方法は、マグネチックカード（Ｍａｇｎｅｔｉｃ Ｃａｒｄ）により個人の情報を記録するが、同様に偽造技術の進歩に連れてマグネチックカード（Ｍａｇｎｅｔｉｃ Ｃａｒｄ）の保護を破壊することはやすくなる。
【０００４】
最新の方法は、チップカード（Ｃｈｉｐ Ｃａｒｄ）のセキュリティ方式を採用して個人の情報を保護することである。基本的にチップカード（Ｃｈｉｐ Ｃａｒｄ）のセキュリティ方面に対し、よくパスワードによる保護方式を採用する。しかし、パスワードで個人の情報を保護するのは、ユーザーにとってパスワードを忘れやすいトラブルを有するだけではなくて、そのパスワードを盗まれやすい危険性もある。
【０００５】
同時に、上記のように個人身分を代表する装置（チップカードを除き）はすべて一つの機能しか実行できなく、多重アプリケーションを単一の装置に整合させることができない。
【０００６】
従って、特許文献４で開示されたのは、メモリーサムドライブに類似する個人身分の電子装置であって、その中には暗号化された個人情報を含み、直接にコンピュータのシステムに接続して使用できる。しかし、この個人身分の電子装置は同様にパスワードの設定がなければ開けられないという前記の問題がある。これらの問題を解決する好ましい方法は個人特有の生体的特徴を利用して、例えば、指紋、声紋、筆跡、虹彩等の生体認証の方法で、もっと完備で有効な資料の保護方式を提供する。特に指紋の生体特徴を結合する保護方法は、厳密だけではなくて、使用にとっても便利である。
【０００７】
近年以来、チップ式（Ｃｈｉｐ）の指紋センサーの発明が発表されたため、軽量で小さい電子製品中に指紋読取の装置を統合させることは可能になる。関連技術の内容は本出願中の一人発明者「周正三  氏」による下記特許を参照することごできる。特許文献１：特許文献５、出願日：２００２年４月３日、発明名称：「コンデンサー式の指紋読取装置」、公告番号：５８３５９２、発明特許番号：第２０００４０号。特許文献６、出願日：２００２年５月１７日、発明名称：「圧力式の指紋読取チップ及びその製造方法」。特許文献７、出願日：２００１年７月６日、発明名称：「温差感応式の指紋認証チップの設計と製造」、公告番号：５５８６８６となって、発明特許番号：第１８９６７１号。特許文献８、出願日：２００２年８月１３日、発明名称：「コンデンサー圧力マイクロセンサー及びそれに応用された指紋読取チップ結構」、公告番号：５７８１１２となって、発明特許番号：第１９８３９８号。これにより、新しい個人化の記録媒体の保護方式が開拓された。
【０００８】
早めに２０年前に特許文献１１は、記録媒体の保護方式を開示した。その中には指紋認証の方式を使用して個人身分カード装置に記憶された個人情報を保護する。指紋認証のプロセスをパスした後、カード装置に記憶された保護された情報が出力でき、その後のプロセスの処理或るいは認証プロセルを行なうことができる。こんな装置の寸法は現在通用のクレジットカードと同じで、主に指紋センサー、画像処理及び認証モジュールを含み、完全に独立的な指紋認証装置（即ち指紋の読取及び認証は同じ装置で実行されること）である。
【０００９】
特許文献９は、指紋認証を介して情報ストレージ装置の書き読みをコントロールする方法を開示する。しかし、この特許は明らかにこのストレージ装置のフォーマット及びインターフェースを開示しなかった。
【００１０】
同様に特許文献１０でも、前記特許文献１１の資料と同じ保護の理念を開示したが、異なっているのは、その伝達インターフェースはＳＤカードのインターフェース用に供するｇｏｌｄｅｎ−ｆｉｎｇｅｒの設計である。また、特許文献１０のメモリー装置は指紋認証モジュールを備え、その資料保護の概念は特許文献９と同じもの。また、特許文献１０の伝達インターフェースはＳＤカードのインターフェース用に供するｇｏｌｄｅｎ−ｆｉｎｇｅｒの構造以外、同様に、特許文献１２は、指紋認証を介してハードディスク或るいはフラッシュディスクの情報を保護する方式を開示する。
【００１１】
特許文献１３の公報は、前記特許文献１１及び特許文献１０と同じ保護理念を開示し、異なっているのはＵＳＢインターフェースを介して端末システムの伝達を実行することだけ、この装置は現在市場に流行っているフラッシュディスクと類似するが、異なっているのはその中には独立の指紋処理及び認証モジュールが内蔵されていること。
【００１２】
特許文献１４の公報は、前記特許文献１１及び特許文献１０と同じな保護理念を開示し、同時に特許文献１３が開示されたことと同じ、ＵＳＢインターフェースを通信インタフェースとして利用するが、同様に独立式の指紋認証装置である。
【００１３】
特許文献１５でも、ほとんど特許文献１３及び特許文献１４理念と装置設計と同じ、独立式の指紋認証装置である。
【００１４】
ここまで、前記指紋認証装置を含む発明は、特許文献１１が個人身分証明ＩＤに応用されたことを開示することの以外、他の公報は、ただ情報の保護として使用され、その応用及び機能を開示しなかった。
【００１５】
また、上記指紋認証装置を含む携帯式のストレージ装置の基本要求は、ユーザーがこのストレージ装置を異なっているコンピュータに接続して使用できる。しかしながら、コンピュータシステムにヒューマンインターフェイス（Ｈｕｍａｎ Ｉｎｔｅｒｆａｃｅ）を提供するため、上記従来の技術による指紋認証装置を含むストレージ装置の設計は、ＵＳＢインターフェースを使用しても、コンピュータのシステムに予め指紋のアプリケーションをインストールする必要がある。伝統的の方法は、ユーザーにＣＤ−ＲＯＭディスクを提供し、そして指紋のアプリケーションをインストールした後、ストレージ装置を便利に使用できる。この状況において、ユーザーは各のコンピュータシステムに対し、携帯式のストレージ装置を持つ以外、ＣＤ−ＲＯＭディスクも携帯する必要がある。そうしないと他のコンピュータシステムにこのストレージ装置を使用することができません。
【００１６】
以上をまとめると、上記従来技術の目的は、指紋認証により保存された情報を保護するストレージ装置を提供する。この装置を使用する時、ユーザーが予め端末システムに指紋アプリケーションのソフトウェアをインストールしなければならない。従って、ストレージ装置の指紋アプリケーションは、異なっているコンピュータに便利にいつでも接続また抜き取りして使用する効果を達する。
【００１７】
従って、上記特許文献１は、この技術を利用し、端末システムのＯＳ（Ｏｐｅｒａｔｉｎｇ Ｓｙｓｔｅｍ）を自動的に実行させる指紋認証のアプリケーションを開示するストレージ装置ある。その技術は、バーチュアルメモリーモジュール（Ｖｉｒｔｕａｌ Ｍｅｍｏｒｙ Ｍｏｄｕｌｅ）の所定ブロックをＣＤ−ＲＯＭディスクの起動区として、そこに指紋認証のアプリケーションを置かせて自動実行（Ａｕｔｏ ｒｕｎ）の機能を達することができる。
【００１８】
上記特許文献３でも、ストレージ装置を開示し、それは指紋センサー及び多種類の携帯式のアプリケーションを有し、個人身分を代表する電子身分キーとして使用でき、指紋認証のアプリケーションを自動に実行する技術により異なっている端末システムに使用されることができる。
【００１９】
また、上記特許文献２は、ハードディスク装置の設計を開示し、前記二件の特許出願と同じ特許案件の設計により、指紋認証のアプリケーションを自動実行できるという長所を有することで、異なっているコンピュータにいつでも接続また抜き取りして使用することを達する。
【００２０】
上記の発明を続けて、本発明は携帯式ストレージ装置の記憶容量分割及び指紋認証のアプリケーションを自動実行するプロセスの設計を提供する。
【００２１】
【特許文献１】台湾特許第０９２１３３８８７号明細書
【特許文献２】台湾特許第０９３１１２２８２号明細書
【特許文献３】台湾特許第０９２１３３５７９号明細書
【特許文献４】米国特許公告第２００３／０１１０３８９ Ａ１号明細書
【特許文献５】台湾特許第０９１１０６８０６号明細書
【特許文献６】台湾特許第０９１１１０４４３号明細書
【特許文献７】台湾特許第０９０１１３７５５号明細書
【特許文献８】台湾特許第０９１１１８１４２号明細書
【特許文献９】中華人民共和国特許第ＣＮ１３０２０１８Ａ号明細書
【特許文献１０】ヨーロッパ特許公告第ＥＰ１２４０７９Ａ１号明細書
【特許文献１１】米国特許公告第４５８２９８５号明細書
【特許文献１２】米国特許公告第ＵＳ２００１／００２３３７５ Ａ１号明細書
【特許文献１３】世界特許第ＷO０２／４２８８７Ａ２号明細書
【特許文献１４】米国特許公告第２００３／００５３３７号明細書
【特許文献１５】イギリス第ＧＢ２３８７９３３号明細書
【発明の開示】
【発明が解決しようとする課題】
【００２２】
従って、本発明の一つの目的は自動的に生体認証アプリケーションを実行する携帯式のストレージ装置を提供して、携帯式のストレージ装置に配置された生体認証アプリケーション及び関連のファームウェア（Ｆｉｒｍｗａｒｅ）は、携帯式のストレージ装置を任意に各種の端末ホスト（Ｔｅｒｍｉｎａｌ Ｈｏｓｔ）にいつでも接続して使用させて、しかもユーザーを導いて生体認証のプロセスを行なうことができる。
【００２３】
上記の目的を達するために、本発明は自動に生体認証アプリケーションを実行できる携帯式のストレージ装置を提供して、基本的に制御モジュール（Ｃｏｎｔｒｏｌ  Ｍｏｄｕｌｅ）、生体センサー（Ｂｉｏｍｅｔｒｉｃ ｓｅｎｓｏｒ）及びストレージユニット（Ｓｔｏｒａｇｅ Ｕｎｉｔ）を含む。当該制御モジュール（Ｃｏｎｔｒｏｌ  Ｍｏｄｕｌｅ）は、基本的にマイクロプロセッサー（Ｍｉｃｒｏｐｒｏｃｅｓｓｏｒ）、ランダムアクセスメモリ（ＲＡＭ， Ｒａｎｄｏｍ Ａｃｃｅｓｓ Ｍｅｍｏｒｙ）及び読み出し専用記憶装置（ＲＯＭ， Ｒｅａｄ−ｏｎｌｙ Ｍｅｍｏｒｙ）を含み、当該ランダムアクセスメモリ（ＲＡＭ， Ｒａｎｄｏｍ Ａｃｃｅｓｓ Ｍｅｍｏｒｙ）は、データを処理する時のアクセスメモリーであって、当該読み出し専用記憶装置（ＲＯＭ， Ｒｅａｄ−ｏｎｌｙ Ｍｅｍｏｒｙ）は、当該ストレージ装置を行なわせるファームウェア（Ｆｉｒｍｗａｒｅ）を配置することがあって、当該制御モジュール（Ｃｏｎｔｒｏｌ  Ｍｏｄｕｌｅ）は、ホストインターフェース（Ｈｏｓｔ  Ｉｎｔｅｒｆａｃｅ）を有するため、端末ホスト（Ｔｅｒｍｉｎａｌ Ｈｏｓｔ）と電気的接続する。当該生体センサー（Ｂｉｏｍｅｔｒｉｃ ｓｅｎｓｏｒ）は、電気的に当該制御モジュール（Ｃｏｎｔｒｏｌ  Ｍｏｄｕｌｅ）に連接する。当該ストレージユニット（Ｓｔｏｒａｇｅ Ｕｎｉｔ）は、標準インターフェース（Ｓｔａｎｄａｒｄ Ｉｎｔｅｒｆａｃｅ）を通じて、例えば、メモリー或るいはハードディスクインターフェース等電気的当該制御モジュール（Ｃｏｎｔｒｏｌ  Ｍｏｄｕｌｅ）と連接する。当該制御モジュール（Ｃｏｎｔｒｏｌ  Ｍｏｄｕｌｅ）に配置されたファームウェア（Ｆｉｒｍｗａｒｅ）は当該ストレージユニット（Ｓｔｏｒａｇｅ Ｕｎｉｔ）、当該生体センサー（Ｂｉｏｍｅｔｒｉｃ ｓｅｎｓｏｒ）、及び端末ホスト（Ｔｅｒｍｉｎａｌ Ｈｏｓｔ）と伝達する。当該ファームウェア（Ｆｉｒｍｗａｒｅ）は更に、当該ストレージユニット（Ｓｔｏｒａｇｅ Ｕｎｉｔ）を複数のブロックに分割することで設計されて、当該ブロックは少なくともシミュレートされたディスクのストレージ装置の生体認証アプリケーションブロック及び設計されたリムーバブル式（Ｒｅｍｏｖａｂｌｅ）のハードディスクのパブリックブロック（Ｐｕｂｌｉｃ Ｂｌｏｃｋ）を含み、当該生体認証アプリケーションブロックは、少なくとも生体認証アプリケーションを含み、それで、当該制御モジュール（Ｃｏｎｔｒｏｌ  Ｍｏｄｕｌｅ）は当該端末ホスト（Ｔｅｒｍｉｎａｌ Ｈｏｓｔ）と連接した後、端末ホスト（Ｔｅｒｍｉｎａｌ Ｈｏｓｔ）のＯＳ（Ｏｐｅｒａｔｉｎｇ Ｓｙｓｔｅｍ）が当該生体認証アプリケーションブロックをオプチカルディスク（Ｏｐｔｉｃａｌ Ｄｉｓｋ）のストレージ装置とさせて、しかも少なくとも一つの生体認証アプリケーションを背景アプリケーションに自動的に実行させて、当該ＯＳ（Ｏｐｅｒａｔｉｎｇ Ｓｙｓｔｅｍ）に呼びファンクション（Ｃａｌｌ ｆｕｎｃｔｉｏｎ）をインストールさせた後、当該オプチカルディスク（Ｏｐｔｉｃａｌ Ｄｉｓｋ）のストレージ装置を閉じて、そして、当該ＯＳ（Ｏｐｅｒａｔｉｎｇ Ｓｙｓｔｅｍ）が当該パブリックブロック（Ｐｕｂｌｉｃ Ｂｌｏｃｋ）を第一リムーバブル式（Ｒｅｍｏｖａｂｌｅ）のハードディスクとさせて、アクセスする。
【００２４】
本発明は、自動に生体認証アプリケーションを実行できる携帯式のストレージ装置を提供して、基本的に制御モジュール（Ｃｏｎｔｒｏｌ  Ｍｏｄｕｌｅ）、生体センサー（Ｂｉｏｍｅｔｒｉｃ ｓｅｎｓｏｒ）及びストレージユニット（Ｓｔｏｒａｇｅ Ｕｎｉｔ）を含む。当該制御モジュール（Ｃｏｎｔｒｏｌ  Ｍｏｄｕｌｅ）は、基本的にマイクロプロセッサー（Ｍｉｃｒｏｐｒｏｃｅｓｓｏｒ）、ランダムアクセスメモリ（ＲＡＭ， Ｒａｎｄｏｍ Ａｃｃｅｓｓ Ｍｅｍｏｒｙ）及び読み出し専用記憶装置（ＲＯＭ， Ｒｅａｄ−ｏｎｌｙ Ｍｅｍｏｒｙ）を含み、当該ランダムアクセスメモリ（ＲＡＭ， Ｒａｎｄｏｍ Ａｃｃｅｓｓ Ｍｅｍｏｒｙ）は、データを処理する時のアクセスメモリーであって、当該読み出し専用記憶装置（ＲＯＭ， Ｒｅａｄ−ｏｎｌｙ Ｍｅｍｏｒｙ）は、当該ストレージ装置を行なわせるファームウェア（Ｆｉｒｍｗａｒｅ）を配置することがあって、当該制御モジュール（Ｃｏｎｔｒｏｌ  Ｍｏｄｕｌｅ）は、ホストインターフェース（Ｈｏｓｔ  Ｉｎｔｅｒｆａｃｅ）を有するため、端末ホスト（Ｔｅｒｍｉｎａｌ Ｈｏｓｔ）と電気的接続する。当該生体センサー（Ｂｉｏｍｅｔｒｉｃ ｓｅｎｓｏｒ）は、電気的に当該制御モジュール（Ｃｏｎｔｒｏｌ  Ｍｏｄｕｌｅ）に連接する。当該ストレージユニット（Ｓｔｏｒａｇｅ Ｕｎｉｔ）は、標準インターフェース（Ｓｔａｎｄａｒｄ Ｉｎｔｅｒｆａｃｅ）を通じて、電気的当該制御モジュール（Ｃｏｎｔｒｏｌ  Ｍｏｄｕｌｅ）と連接する。当該制御モジュール（Ｃｏｎｔｒｏｌ  Ｍｏｄｕｌｅ）に配置されたファームウェア（Ｆｉｒｍｗａｒｅ）は、当該ストレージユニット（Ｓｔｏｒａｇｅ Ｕｎｉｔ）、当該生体センサー（Ｂｉｏｍｅｔｒｉｃ ｓｅｎｓｏｒ）、及び端末ホスト（Ｔｅｒｍｉｎａｌ Ｈｏｓｔ）と伝達する。当該ファームウェア（Ｆｉｒｍｗａｒｅ）は更に、当該ストレージユニット（Ｓｔｏｒａｇｅ Ｕｎｉｔ）を複数のブロックに分割することで設計されて、当該ブロックは少なくともシミュレートされたディスクのストレージ装置の生体認証アプリケーションブロック及びプライベートブロック（Ｐｒｉｖａｔｅ Ｂｌｏｃｋ）を含み、当該生体認証アプリケーションブロックは、少なくとも生体認証アプリケーションを含み、それで、当該制御モジュール（Ｃｏｎｔｒｏｌ  Ｍｏｄｕｌｅ）は当該端末ホスト（Ｔｅｒｍｉｎａｌ Ｈｏｓｔ）と連接した後、端末ホスト（Ｔｅｒｍｉｎａｌ Ｈｏｓｔ）のＯＳ（Ｏｐｅｒａｔｉｎｇ Ｓｙｓｔｅｍ）が当該生体認証アプリケーションブロックをオプチカルディスク（Ｏｐｔｉｃａｌ Ｄｉｓｋ）のストレージ装置とさせて、しかも少なくとも一つの生体認証アプリケーションを前景アプリケーションに自動的に実行させて、ユーザーを導いて生体認証のプロセスを行なわせた後、当該ファームウェア（Ｆｉｒｍｗａｒｅ）は、当該ＯＳ（Ｏｐｅｒａｔｉｎｇ Ｓｙｓｔｅｍ）が当該オプチカルディスク（Ｏｐｔｉｃａｌ Ｄｉｓｋ）のストレージ装置を停止させて、しかも当該プライベートブロック（Ｐｒｉｖａｔｅ Ｂｌｏｃｋ）をリムーバブル式（Ｒｅｍｏｖａｂｌｅ）のハードディスクとさせて、アクセスする。
【課題を解決するための手段】
【００２５】
請求項１の発明は、自動的に生体認証アプリケーションを実行できる携帯式のストレージ装置であり、基本的に、制御モジュール、生体センサー及びストレージユニットを包含し、
制御モジュール（Ｃｏｎｔｒｏｌ  Ｍｏｄｕｌｅ）は、ランダムアクセスメモリ（ＲＡＭ， Ｒａｎｄｏｍ Ａｃｃｅｓｓ Ｍｅｍｏｒｙ）及び読み出し専用記憶装置（ＲＯＭ， Ｒｅａｄ−ｏｎｌｙ Ｍｅｍｏｒｙ）を含み、当該ランダムアクセスメモリ（ＲＡＭ， Ｒａｎｄｏｍ Ａｃｃｅｓｓ Ｍｅｍｏｒｙ）は、データを処理する時のワーキング・メモリーであって、当該読み出し専用記憶装置（ＲＯＭ， Ｒｅａｄ−ｏｎｌｙ Ｍｅｍｏｒｙ）は、当該ストレージ装置を行なわせるファームウェア（Ｆｉｒｍｗａｒｅ）を配置することがあって、当該制御モジュール（Ｃｏｎｔｒｏｌ  Ｍｏｄｕｌｅ）は、ホストインターフェース（Ｈｏｓｔ  Ｉｎｔｅｒｆａｃｅ）を有するため、端末ホスト（Ｔｅｒｍｉｎａｌ Ｈｏｓｔ）と電気的接続し、
生体センサー（Ｂｉｏｍｅｔｒｉｃ ｓｅｎｓｏｒ）は、当該制御モジュール（Ｃｏｎｔｒｏｌ  Ｍｏｄｕｌｅ）と電気的接続し、
ストレージユニット（Ｓｔｏｒａｇｅ Ｕｎｉｔ）は、標準インターフェース（Ｓｔａｎｄａｒｄ Ｉｎｔｅｒｆａｃｅ）で当該制御モジュール（Ｃｏｎｔｒｏｌ  Ｍｏｄｕｌｅ）と電気的接続して、
当該制御モジュール（Ｃｏｎｔｒｏｌ  Ｍｏｄｕｌｅ）に保存されたファームウェア（Ｆｉｒｍｗａｒｅ）は、ストレージユニット（Ｓｔｏｒａｇｅ Ｕｎｉｔ）、生体センサー及び当該端末ホスト（Ｔｅｒｍｉｎａｌ Ｈｏｓｔ）と伝達して、当該ファームウェア（Ｆｉｒｍｗａｒｅ）は、更に下記のように設計されて：
ストレージユニット（Ｓｔｏｒａｇｅ Ｕｎｉｔ）を複数のブロックに分割して、当該ブロックは、少なくともシミュレートされたディスクのストレージ装置の生体認証アプリケーションブロック及び設計されたリムーバブル式（Ｒｅｍｏｖａｂｌｅ）のハードディスクのパブリックブロック（Ｐｕｂｌｉｃ Ｂｌｏｃｋ）を含み、当該生体認証アプリケーションブロックは、少なくとも生体認証アプリケーションを含み、及び、
当該制御モジュール（Ｃｏｎｔｒｏｌ  Ｍｏｄｕｌｅ）は当該端末ホスト（Ｔｅｒｍｉｎａｌ Ｈｏｓｔ）と連接した後、端末ホスト（Ｔｅｒｍｉｎａｌ Ｈｏｓｔ）のオペレーティングシステム（Ｏｐｅｒａｔｉｎｇ Ｓｙｓｔｅｍ）が当該生体認証アプリケーションブロックを光ディスク（Ｏｐｔｉｃａｌ Ｄｉｓｋ）のストレージ装置とさせて、しかも少なくとも一つの生体認証アプリケーションを背景アプリケーションに自動的に実行させて、しかも当該オペレーティングシステム（Ｏｐｅｒａｔｉｎｇ Ｓｙｓｔｅｍ）に呼びファンクション（Ｃａｌｌ ｆｕｎｃｔｉｏｎ）をインストールさせた後、当該光ディスク（Ｏｐｔｉｃａｌ Ｄｉｓｋ）のストレージ装置を閉じて、そして、当該オペレーティングシステム（Ｏｐｅｒａｔｉｎｇ Ｓｙｓｔｅｍ）が当該パブリックブロック（Ｐｕｂｌｉｃ Ｂｌｏｃｋ）を第一リムーバブル式（Ｒｅｍｏｖａｂｌｅ）のハードディスクとさせて、アクセスすることを特徴とする自動的に生体認証アプリケーションを実行できる携帯式のストレージ装置としている。
請求項２の発明は、当該ファームウェア（Ｆｉｒｍｗａｒｅ）は、更に当該ストレージ装置が端末ホスト（Ｔｅｒｍｉｎａｌ Ｈｏｓｔ）と切断した後、端末ホスト（Ｔｅｒｍｉｎａｌ Ｈｏｓｔ）の当該オペレーティングシステム（Ｏｐｅｒａｔｉｎｇ Ｓｙｓｔｅｍ）を自動的に呼びファンクション（Ｃａｌｌ ｆｕｎｃｔｉｏｎ）をリムーブすることと設計されることを特徴とする請求項１記載の自動的に生体認証アプリケーションを実行できる携帯式のストレージ装置としている。
請求項３の発明は、当該ファームウェア（Ｆｉｒｍｗａｒｅ）は、少なくとも一つの生体認証のアプリケーションが、当該光ディスク（Ｏｐｔｉｃａｌ Ｄｉｓｋ）ストレージ装置が閉じられた時、オペレーティングシステム（Ｏｐｅｒａｔｉｎｇ Ｓｙｓｔｅｍ）から生じられた警告メッセージをリムーブすることに用いられることと設計することを特徴とする請求項１記載の自動的に生体認証アプリケーションを実行できる携帯式のストレージ装置としている。
請求項４の発明は、当該ブロックは、更にプライベートブロック（Ｐｒｉｖａｔｅ Ｂｌｏｃｋ）を含み、しかも当該呼びファンクション（Ｃａｌｌ ｆｕｎｃｔｉｏｎ）が呼ばれている時、当該少なくとも一つの生体認証アプリケーションは、ユーザーを導いて生体認証のプロセスを行なって、生体認証のプロセスを行なわせた後、ファームウェア（Ｆｉｒｍｗａｒｅ）が、プライベートブロック（Ｐｒｉｖａｔｅ Ｂｌｏｃｋ）を第二リムーバブル式（Ｒｅｍｏｖａｂｌｅ）のハードディスクとさせてアクセスすることを特徴とする請求項１記載の自動的に生体認証アプリケーションを実行できる携帯式のストレージ装置としている。
請求項５の発明は、当該生体認証プロセスをパスした後、当該ファームウェア（Ｆｉｒｍｗａｒｅ）は、当該オペレーティングシステム（Ｏｐｅｒａｔｉｎｇ Ｓｙｓｔｅｍ）が、当該第一リムーバブル式（Ｒｅｍｏｖａｂｌｅ）のハードディスクを閉じさせて、しかも当該プライベートブロック（Ｐｒｉｖａｔｅ Ｂｌｏｃｋ）を第二リムーバブル式（Ｒｅｍｏｖａｂｌｅ）のハードディスクとしてアクセスすることを特徴とする請求項４記載の自動的に生体認証アプリケーションを実行できる携帯式のストレージ装置としている。
請求項６の発明は、自動的に生体認証アプリケーションを実行できる携帯式のストレージ装置であって、基本的に、制御モジュール（Ｃｏｎｔｒｏｌ  Ｍｏｄｕｌｅ）、生体センサー（Ｂｉｏｍｅｔｒｉｃ ｓｅｎｓｏｒ）及びストレージユニット（Ｓｔｏｒａｇｅ Ｕｎｉｔ）を包含し、
制御モジュールは、ランダムアクセスメモリ（ＲＡＭ， Ｒａｎｄｏｍ Ａｃｃｅｓｓ Ｍｅｍｏｒｙ）及び読み出し専用記憶装置（ＲＯＭ， Ｒｅａｄ−ｏｎｌｙ Ｍｅｍｏｒｙ）を含み、当該ランダムアクセスメモリ（ＲＡＭ， Ｒａｎｄｏｍ Ａｃｃｅｓｓ Ｍｅｍｏｒｙ）は、データを処理する時のワーキング・メモリーであって、当該読み出し専用記憶装置（ＲＯＭ， Ｒｅａｄ−ｏｎｌｙ Ｍｅｍｏｒｙ）は、当該ストレージ装置を行なわせるファームウェア（Ｆｉｒｍｗａｒｅ）を配置することがあって、当該制御モジュール（Ｃｏｎｔｒｏｌ  Ｍｏｄｕｌｅ）は、ホストインターフェース（Ｈｏｓｔ  Ｉｎｔｅｒｆａｃｅ）を有するため、端末ホスト（Ｔｅｒｍｉｎａｌ Ｈｏｓｔ）と電気的接続して、
生体センサーは、当該制御モジュール（Ｃｏｎｔｒｏｌ  Ｍｏｄｕｌｅ）と電気的接続して、
ストレージユニットは、標準インターフェース（Ｓｔａｎｄａｒｄ Ｉｎｔｅｒｆａｃｅ）で当該制御モジュール（Ｃｏｎｔｒｏｌ  Ｍｏｄｕｌｅ）と電気的接続して、
当該制御モジュール（Ｃｏｎｔｒｏｌ  Ｍｏｄｕｌｅ）に保存されたファームウェア（Ｆｉｒｍｗａｒｅ）は、ストレージユニット（Ｓｔｏｒａｇｅ Ｕｎｉｔ）、生体センサー及び当該端末ホスト（Ｔｅｒｍｉｎａｌ Ｈｏｓｔ）と伝達して、当該ファームウェア（Ｆｉｒｍｗａｒｅ）は、更に下記のように設計されて：
ストレージユニット（Ｓｔｏｒａｇｅ Ｕｎｉｔ）を複数のブロックに分割して、当該ブロックは、少なくともシミュレートされたディスクのストレージ装置の生体認証アプリケーションブロック及びプライベートブロック（Ｐｒｉｖａｔｅ Ｂｌｏｃｋ）を含み、当該生体認証アプリケーションブロックは、少なくとも生体認証アプリケーションを含み、及び、
当該制御モジュール（Ｃｏｎｔｒｏｌ  Ｍｏｄｕｌｅ）は当該端末ホスト（Ｔｅｒｍｉｎａｌ Ｈｏｓｔ）と連接した後、端末ホスト（Ｔｅｒｍｉｎａｌ Ｈｏｓｔ）のオペレーティングシステム（Ｏｐｅｒａｔｉｎｇ Ｓｙｓｔｅｍ）が当該生体認証アプリケーションブロックを光ディスク（Ｏｐｔｉｃａｌ Ｄｉｓｋ）のストレージ装置とさせて、しかも少なくとも一つの生体認証アプリケーションを前景アプリケーションに自動的に実行させて、ユーザーを導いて生体認証のプロセスを行なうことができて、及び、
ユーザーが生体認証のプロセスをパスした後、当該ファームウェア（Ｆｉｒｍｗａｒｅ）は、当該オペレーティングシステム（Ｏｐｅｒａｔｉｎｇ Ｓｙｓｔｅｍ）が光ディスク（Ｏｐｔｉｃａｌ Ｄｉｓｋ）を閉じることができて、プライベートブロックをリムーバブル式（Ｒｅｍｏｖａｂｌｅ）のハードディスクとしてアクセスすることを特徴とする自動的に生体認証アプリケーションを実行できる携帯式のストレージ装置としている。
請求項７の発明は、当該ファームウェア（Ｆｉｒｍｗａｒｅ）は、更に当該ストレージ装置が端末ホスト（Ｔｅｒｍｉｎａｌ Ｈｏｓｔ）と断線した後、端末ホスト（Ｔｅｒｍｉｎａｌ Ｈｏｓｔ）の当該オペレーティングシステム（Ｏｐｅｒａｔｉｎｇ Ｓｙｓｔｅｍ）を自動的に実行中の当該少なくとも一つの生体認証アプリケーションをリムーブすることと設計されることを特徴とする請求項６記載の自動的に生体認証アプリケーションを実行できる携帯式のストレージ装置としている。
請求項８の発明は、当該ファームウェア（Ｆｉｒｍｗａｒｅ）は、少なくとも一つの生体認証のアプリケーションが、当該光ディスク（Ｏｐｔｉｃａｌ Ｄｉｓｋ）ストレージ装置が閉じられた時、オペレーティングシステム（Ｏｐｅｒａｔｉｎｇ Ｓｙｓｔｅｍ）から生じられた警告メッセージをリムーブすることに用いられることと設計することを特徴とする請求項６記載の自動的に生体認証アプリケーションを実行できる携帯式のストレージ装置としている。
【発明の効果】
【００２６】
以上説明したように、本発明の自動的に生体認証アプリケーションを実行する携帯式のストレージ装置を提供して、携帯式のストレージ装置に配置された生体認証アプリケーション及び関連のファームウェア（Ｆｉｒｍｗａｒｅ）は、携帯式のストレージ装置を任意に各種の端末ホスト（Ｔｅｒｍｉｎａｌ Ｈｏｓｔ）にいつでも接続して使用させて、しかもユーザーを導いて生体認証のプロセスを行なうことができる。
【発明を実施するための最良の形態】
【００２７】
図１は、本発明の第一実施例による携帯式のストレージ装置を示すブロック図である。図１に示すように、本実施例による携帯式のストレージ装置１は基本的に制御モジュール（Ｃｏｎｔｒｏｌ  Ｍｏｄｕｌｅ）１０、ストレージユニット（Ｓｔｏｒａｇｅ Ｕｎｉｔ）２０及び生体センサー（Ｂｉｏｍｅｔｒｉｃ ｓｅｎｓｏｒ）３０を含む。制御モジュール（Ｃｏｎｔｒｏｌ  Ｍｏｄｕｌｅ）１０は、ホストインターフェース（Ｈｏｓｔ  Ｉｎｔｅｒｆａｃｅ）１２を有するため、端末ホスト（Ｔｅｒｍｉｎａｌ Ｈｏｓｔ）２と電気的接続する。当該ストレージユニット（Ｓｔｏｒａｇｅ Ｕｎｉｔ）２０は、標準インターフェース（Ｓｔａｎｄａｒｄ Ｉｎｔｅｒｆａｃｅ）１４を通じて、電気的当該制御モジュール（Ｃｏｎｔｒｏｌ  Ｍｏｄｕｌｅ）１０と連接する。ストレージユニット（Ｓｔｏｒａｇｅ Ｕｎｉｔ）２０には、少なくとも一つの生体認証アプリケーションが配置される。生体センサー（Ｂｉｏｍｅｔｒｉｃ ｓｅｎｓｏｒ）３０は、標準インターフェース（Ｓｔａｎｄａｒｄ Ｉｎｔｅｒｆａｃｅ）１４或いは他のインターフェース（Ｉｎｔｅｒｆａｃｅ）（例えば、シリアル周辺インターフェースＳＰI）を通じて、電気的当該制御モジュール（Ｃｏｎｔｒｏｌ  Ｍｏｄｕｌｅ）１０と連接する。生体センサー（Ｂｉｏｍｅｔｒｉｃ ｓｅｎｓｏｒ）３０は、本実施例に指紋センサーであって、特にチップ式の指紋センサーであって、アリア型（Ａｒｅａ ｔｙｐｅ）及びスライド型（ｓｌｉｄｅ ｔｙｐｅ）を含む。他タイプのセンサーでもよい、例えば、声紋、顔、虹彩等の生体認証のセンサーである。本実施例中に、ホストインターフェース（Ｈｏｓｔ  Ｉｎｔｅｒｆａｃｅ）１２は、ＵＳＢのインターフェースであるが、PCMCIAインターフェース、ＰＣＩ高速（ＰＣＩ ＥＸＰＲＥＳＳ）インターフェース或いはＩＥＥＥ１３９４インターフェース、ＳＡＴＡインターフェース或いは他の標準インターフェース（Ｓｔａｎｄａｒｄ Ｉｎｔｅｒｆａｃｅ）でもよい。ストレージユニット（Ｓｔｏｒａｇｅ Ｕｎｉｔ）２０は、不発揮性のメモリーであって、本実施例にフラッシュメモリーであって、ＰＲＯＭ （Ｐｒｏｇｒａｍｍａｂｌｅ  Ｒｅａｄ  Ｏｎｌｙ  Ｍｅｍｏｒｙ）、読み出し専用記憶装置（ＲＯＭ）或いはＥＥＰＲＯＭ （Ｅｌｅｃｔｒｏｎｉｃａｌｌｙ  Ｅｒａｓａｂｌｅ  ａｎｄ  ＰｒｏｇｒａｍａｂｌｅE  Ｒｅａｄ  Ｏｎｌｙ  Ｍｅｍｏｒｙ）でもよい。または、ストレージユニット（Ｓｔｏｒａｇｅ Ｕｎｉｔ）２０は、例えば、ハードディスク或いは書きできる式のディスク装置でもよい。
【００２８】
制御モジュール（Ｃｏｎｔｒｏｌ  Ｍｏｄｕｌｅ）１０は、マイクロプロセッサー（Ｍｉｃｒｏｐｒｏｃｅｓｓｏｒ）１０Ａ、ランダムアクセスメモリ（ＲＡＭ， Ｒａｎｄｏｍ Ａｃｃｅｓｓ Ｍｅｍｏｒｙ）１０Ｂ及び読み出し専用記憶装置（ＲＯＭ， Ｒｅａｄ−ｏｎｌｙ Ｍｅｍｏｒｙ）１０Ｃを含み、当該ランダムアクセスメモリ（ＲＡＭ， Ｒａｎｄｏｍ Ａｃｃｅｓｓ Ｍｅｍｏｒｙ）１０Ｂは、データを処理する時のアクセスメモリーであって、当該読み出し専用記憶装置（ＲＯＭ， Ｒｅａｄ−ｏｎｌｙ Ｍｅｍｏｒｙ）１０Cは、当該ストレージ装置を行なわせるファームウェア（Ｆｉｒｍｗａｒｅ）を配置することがある。即ち、制御モジュール（Ｃｏｎｔｒｏｌ  Ｍｏｄｕｌｅ）１０は、ストレージユニット（Ｓｔｏｒａｇｅ Ｕｎｉｔ）２０、生体センサー（Ｂｉｏｍｅｔｒｉｃ ｓｅｎｓｏｒ）３０及び端末ホスト（Ｔｅｒｍｉｎａｌ Ｈｏｓｔ）２と伝達することに用いられたファームウェア（Ｆｉｒｍｗａｒｅ）を配置する。本発明の効果を達するために、ファームウェア（Ｆｉｒｍｗａｒｅ）はストレージユニット（Ｓｔｏｒａｇｅ Ｕｎｉｔ）２０を複数のブロックに分割することで設計されて、当該ブロックは少なくとも一つの生体認証アプリケーションブロック２１及び設計されたリムーバブル式（Ｒｅｍｏｖａｂｌｅ）のハードディスクのパブリックブロック（Ｐｕｂｌｉｃ Ｂｌｏｃｋ）２２及び少なくとも一つのプライベートブロック（Ｐｒｉｖａｔｅ Ｂｌｏｃｋ）２４を含み、その中少なくとも一つの生体認証アプリケーションブロック２１は、なくとも一つの生体認証アプリケーションを含み、しかもオプチカルディスク（Ｏｐｔｉｃａｌ Ｄｉｓｋ）のストレージ装置とシミュレートされた。プライベートブロック（Ｐｒｉｖａｔｅ Ｂｌｏｃｋ）２４は、リムーバブル式（Ｒｅｍｏｖａｂｌｅ Ｄｉｓｋ）のハードディスクと設計される。また、当該ブロックは更に少なくとも一つの隠れたブロック（Ｈｉｄｄｅｎ Ｂｌｏｃｋ）２６を含む。ファームウェア（Ｆｉｒｍｗａｒｅ）は、ハードディスクのパブリックブロック（Ｐｕｂｌｉｃ Ｂｌｏｃｋ）２２を生体認証プロセスをパスする前にリムーバブル式（Ｒｅｍｏｖａｂｌｅ）のハードディスクとさせてアクセスするように設計される。隠れたブロック（Ｈｉｄｄｅｎ Ｂｌｏｃｋ）２６は、暗号化／復号化するアプリケーションのカキー、生体特徴モールド等の情報を記憶するために設計される。勿論、隠れたブロック（Ｈｉｄｄｅｎ Ｂｌｏｃｋ）２６は、生体認証アプリケーションブロック２１と結合するために設計されてもよい。
【００２９】
当該ファームウェア（Ｆｉｒｍｗａｒｅ）は、更に制御モジュール（Ｃｏｎｔｒｏｌ  Ｍｏｄｕｌｅ）１０が端末ホスト（Ｔｅｒｍｉｎａｌ Ｈｏｓｔ）２と連接した後、端末ホスト（Ｔｅｒｍｉｎａｌ Ｈｏｓｔ）２のＯＳ（Ｏｐｅｒａｔｉｎｇ Ｓｙｓｔｅｍ）が少なくとも一つの生体認証アプリケーションブロック２１をオプチカルディスク（Ｏｐｔｉｃａｌ Ｄｉｓｋ）のストレージ装置とするように、設計されて、オプチカルディスク（Ｏｐｔｉｃａｌ Ｄｉｓｋ）のストレージ装置の起動技術を利用して、ＯＳ（Ｏｐｅｒａｔｉｎｇ Ｓｙｓｔｅｍ）は、当該オプチカルディスク（Ｏｐｔｉｃａｌ Ｄｉｓｋ）のストレージ装置中の当該少なくとも一つの生体認証アプリケーションを背景アプリケーションに自動的に実行させて、しかも当該ＯＳ（Ｏｐｅｒａｔｉｎｇ Ｓｙｓｔｅｍ）に呼びファンクション（Ｃａｌｌ ｆｕｎｃｔｉｏｎ）をインストールさせた後、当該オプチカルディスク（Ｏｐｔｉｃａｌ Ｄｉｓｋ）のストレージ装置を閉じて、そして、当該ＯＳ（Ｏｐｅｒａｔｉｎｇ Ｓｙｓｔｅｍ）が当該パブリックブロック（Ｐｕｂｌｉｃ Ｂｌｏｃｋ）を第一リムーバブル式（Ｒｅｍｏｖａｂｌｅ）のハードディスクとさせて、アクセスする。それで、当該呼びファンクション（Ｃａｌｌ ｆｕｎｃｔｉｏｎ）が呼ばれている時、当該少なくとも一つの生体認証アプリケーションは、ユーザーを導いて生体認証のプロセスを行なって、生体認証のプロセスを行なわせた後、特定の機能をエンアブル（ｅｎａｂｌｅ）或いは起動できて、ファームウェア（Ｆｉｒｍｗａｒｅ）が、プライベートブロック（Ｐｒｉｖａｔｅ Ｂｌｏｃｋ）を第二リムーバブル式（Ｒｅｍｏｖａｂｌｅ）のハードディスクとさせて、アクセスする。しかも、ファームウェア（Ｆｉｒｍｗａｒｅ）は更に、制御モジュール（Ｃｏｎｔｒｏｌ  Ｍｏｄｕｌｅ）１０が端末ホスト（Ｔｅｒｍｉｎａｌ Ｈｏｓｔ）２と断線した後、端末ホスト（Ｔｅｒｍｉｎａｌ Ｈｏｓｔ）２のＯＳ（Ｏｐｅｒａｔｉｎｇ Ｓｙｓｔｅｍ）を自動的に呼びファンクション（Ｃａｌｌ ｆｕｎｃｔｉｏｎ）をリムーブする。
【００３０】
生体認証アプリケーションは、ユーザーを導いて生体認証のプロセスを行なう方式は、声、文字、写真表現の方式を含むがこれに限定されるものではない。特定の機能は、ストレージユニット（Ｓｔｏｒａｇｅ Ｕｎｉｔ）２０内の特定ブロック、端末ホスト（Ｔｅｒｍｉｎａｌ Ｈｏｓｔ）２のＯＳ（Ｏｐｅｒａｔｉｎｇ Ｓｙｓｔｅｍ）中のアプリケーション、例えば、電子メールの取り発送アプリケーション、ファイルの伝送アプリケーション、ネットワークの登録認証等を含むがそれを限定ではない。
【００３１】
本実施例に、ＯＳ（Ｏｐｅｒａｔｉｎｇ Ｓｙｓｔｅｍ）は、生体認証アプリケーションを背景アプリケーションとして、即ち生体認証アプリケーションは直ぐコントロール権を取らなくて、ただこっそりＯＳ（Ｏｐｅｒａｔｉｎｇ Ｓｙｓｔｅｍ）にインストールされる。ユーザーは前記の特定の機能を実行する必要がある時、呼びファンクション（Ｃａｌｌ ｆｕｎｃｔｉｏｎ）を通じて生体認証アプリケーションを実行する。従って、背景アプリケーションの呼びファンクション（Ｃａｌｌ ｆｕｎｃｔｉｏｎ）はシステムトレー（Ｓｙｓｔｅｍ Ｔｒａｙ）、マウス右キーのトレー或いはＯＳ（Ｏｐｅｒａｔｉｎｇ Ｓｙｓｔｅｍ）中のアプリケーショントレーに位置される。言い換えれば、画面の右下方のシステムトレー（Ｓｙｓｔｅｍ Ｔｒａｙ）には、ユーザー呼びのために小さいアイコンが現れる。また、ユーザーはマウスを右クリックする時、特定機能の呼びファンクション（Ｃａｌｌ ｆｕｎｃｔｉｏｎ）が現れる。また、呼びファンクション（Ｃａｌｌ ｆｕｎｃｔｉｏｎ）は、ＯＳ（Ｏｐｅｒａｔｉｎｇ Ｓｙｓｔｅｍ）の一つのアプリケーション（電子メールの取り発送アプリケーション）の機能ブロックに配置される。
【００３２】
使用されたプロセスを例として、携帯式のストレージ装置１は、端末ホスト（Ｔｅｒｍｉｎａｌ Ｈｏｓｔ）２と連接した後、端末ホスト（Ｔｅｒｍｉｎａｌ Ｈｏｓｔ）２は、生体認証のアプリケーションブロック（Ｂｉｏｍｅｔｒｉｃ AP Ｂｌｏｃｋ）２１をオプチカルディスク（Ｏｐｔｉｃａｌ Ｄｉｓｋ）のストレージ装置として、端末ホスト（Ｔｅｒｍｉｎａｌ Ｈｏｓｔ）２のＯＳ（Ｏｐｅｒａｔｉｎｇ Ｓｙｓｔｅｍ）のファイルエクスプローラは開かれたら、ファイルエクスプローラにオプチカルディスク（Ｏｐｔｉｃａｌ Ｄｉｓｋ）のストレージ装置が表示される。従って、端末ホスト（Ｔｅｒｍｉｎａｌ Ｈｏｓｔ）２のＯＳ（Ｏｐｅｒａｔｉｎｇ Ｓｙｓｔｅｍ）は、生体認証アプリケーションブロック２１中に配置された生体認証アプリケーションを自動的に実行して背景アプリケーションとさせる。背景アプリケーションの機能は、インストールされた後、ファームウェア（Ｆｉｒｍｗａｒｅ）は、ＯＳ（Ｏｐｅｒａｔｉｎｇ Ｓｙｓｔｅｍ）がオプチカルディスク（Ｏｐｔｉｃａｌ Ｄｉｓｋ）を閉じることができて、しかもパブリックブロック（Ｐｕｂｌｉｃ Ｂｌｏｃｋ）２２は現れて、パブリックブロック（Ｐｕｂｌｉｃ Ｂｌｏｃｋ）２２は、第一リムーバブル式（Ｒｅｍｏｖａｂｌｅ）のハードディスクとさせられる。従って、ＯＳ（Ｏｐｅｒａｔｉｎｇ Ｓｙｓｔｅｍ）のファイルエクスプローラは、パブリックブロック（Ｐｕｂｌｉｃ Ｂｌｏｃｋ）２２を代表する第一リムーバブル式（Ｒｅｍｏｖａｂｌｅ）のハードディスクの内容（ここは、Dドライバを称する）を表示できて、パブリックブロック（Ｐｕｂｌｉｃ Ｂｌｏｃｋ）２２は、全然生体認証アプリケーションの必要がならなくて、自由にアクセスできるストレージ容量である。背景アプリケーション機能の呼びを通じて、生体認証アプリケーションはユーザーを導いて生体認証プロセスを実行させて、生体認証プロセスをパスした後、プライベートブロック（Ｐｒｉｖａｔｅ Ｂｌｏｃｋ）２４が現れて、ＯＳ（Ｏｐｅｒａｔｉｎｇ Ｓｙｓｔｅｍ）は、プライベートブロック（Ｐｒｉｖａｔｅ Ｂｌｏｃｋ）２４を第二リムーバブル式（Ｒｅｍｏｖａｂｌｅ）のハードディスクとさせる。従って、ＯＳ（Ｏｐｅｒａｔｉｎｇ Ｓｙｓｔｅｍ）のファイルエクスプローラは、プライベートブロック（Ｐｒｉｖａｔｅ Ｂｌｏｃｋ）２４の第二リムーバブル式（Ｒｅｍｏｖａｂｌｅ）のハードディスクの内容（ここは、Eドライバを称する）を表示できる。注意することは、設計結構上のDドライバとEドライバは、ＯＳ（Ｏｐｅｒａｔｉｎｇ Ｓｙｓｔｅｍ）のファイルエクスプローラに同時に配置することができる。他の設計結構上に、ＯＳ（Ｏｐｅｒａｔｉｎｇ Ｓｙｓｔｅｍ）のファイルエクスプローラは、唯一つのドライバを表示できて、即ち、Ｄドライバ（パブリックブロック２２）は予め閉じられた後、Eドライバ（プライベートブロック２４）に切り替えられて、或るいはDドライバ（パブリックブロック２２）は、予め閉じられた後、Ｄドライバ（プライベートブロック２４）に切り替えられる。それに、当該特定機能は、リムーバブル式（Ｒｅｍｏｖａｂｌｅ）のハードディスクとして当該パブリックブロック（Ｐｕｂｌｉｃ Ｂｌｏｃｋ）２２をアクセスして、しかも当該プライベートブロック（Ｐｒｉｖａｔｅ Ｂｌｏｃｋ）２４をリムーバブル式（Ｒｅｍｏｖａｂｌｅ）のハードディスクとしてアクセスされる。
【００３３】
その以外、ファームウェア（Ｆｉｒｍｗａｒｅ）と生体認証アプリケーションは、実行された生体認証アプリケーションのオプチカルディスク（Ｏｐｔｉｃａｌ Ｄｉｓｋ）が閉じられてから現れるパブリックブロック（Ｐｕｂｌｉｃ Ｂｌｏｃｋ）２２をリムーブする時、ＯＳ（Ｏｐｅｒａｔｉｎｇ Ｓｙｓｔｅｍ）が警告メッセージが現れるように設計される。例えば、この情況下に、Ｗｉｎｄｏｗｓ（登録商標） ２０００ ＯＳ（Ｏｐｅｒａｔｉｎｇ Ｓｙｓｔｅｍ）は、警告メッセージを表示させて、本装置のファームウェア（Ｆｉｒｍｗａｒｅ）と生体認証アプリケーションは、共同作用を必要で当該警告メッセージをストップさせる。
【００３４】
図２は、本発明の第二実施例による携帯式のストレージ装置を示すブロック図である。図２に示すように、本実施例は第一実施例と類似して、異なるところは本実施例のストレージユニット（Ｓｔｏｒａｇｅ Ｕｎｉｔ）２０がパブリックブロック（Ｐｕｂｌｉｃ Ｂｌｏｃｋ）を設けない。使用プロセスを例として、携帯式のストレージ装置１は端末ホスト（Ｔｅｒｍｉｎａｌ Ｈｏｓｔ）２と接続した後、端末ホスト（Ｔｅｒｍｉｎａｌ Ｈｏｓｔ）２は生体認証のアプリケーションブロック（Ｂｉｏｍｅｔｒｉｃ ＡＰ Ｂｌｏｃｋ）２１をオプチカルディスク（Ｏｐｔｉｃａｌ Ｄｉｓｋ）と見なし、端末ホスト（Ｔｅｒｍｉｎａｌ Ｈｏｓｔ）２のＯＳ（Ｏｐｅｒａｔｉｎｇ Ｓｙｓｔｅｍ）のファイルエクスプローラは、開かれて、ファイルエクスプローラ中に、オプチカルディスク（Ｏｐｔｉｃａｌ Ｄｉｓｋ）を表示する。従って、端末ホスト（Ｔｅｒｍｉｎａｌ Ｈｏｓｔ）２のＯＳ（Ｏｐｅｒａｔｉｎｇ Ｓｙｓｔｅｍ）は、生体認証アプリケーションブロック２１（オプチカルディスク）中に配置された生体認証アプリケーションを自動的に実行して背景アプリケーションとさせる。背景アプリケーションは、すぐユーザーを導いて生体認証プロセスを行なう。生体認証プロセスをパスした後、ファームウェア（Ｆｉｒｍｗａｒｅ）は、ＯＳ（Ｏｐｅｒａｔｉｎｇ Ｓｙｓｔｅｍ）がオプチカルディスク（Ｏｐｔｉｃａｌ Ｄｉｓｋ）を閉じることができて、この時、プライベートブロック２４は、リムーバブル式（Ｒｅｍｏｖａｂｌｅ）のハードディスクとされる。言い換えれば、ＯＳ（Ｏｐｅｒａｔｉｎｇ Ｓｙｓｔｅｍ）のファイルエクスプローラは、プライベートブロック２４のリムーバブル式（Ｒｅｍｏｖａｂｌｅ）のハードディスク（ここは、Dドライバを称する）を表示できる。茲に特定機能は、ＯＳ（Ｏｐｅｒａｔｉｎｇ Ｓｙｓｔｅｍ）がプライベートブロック（Ｐｒｉｖａｔｅ Ｂｌｏｃｋ）２４をリムーバブル式（Ｒｅｍｏｖａｂｌｅ）のハードディスクとしてアクセスされる。
【００３５】
図３は、本発明の第三実施例による携帯式のストレージ装置を示すブロック図である。図３に示すように、本実施例は第一実施例と類似して、異なるところは、本携帯式のストレージ装置１が更に拡張スロット４０を含み、それが配置された外部ストレージユニット５０を制御モジュール（Ｃｏｎｔｒｏｌ  Ｍｏｄｕｌｅ）１０に連接することに用いられる。当該メモリー拡張スロット４０は、実質的に本発明装置のメモリーの容量を拡張するように用いられて、または本装置を外部ストレージユニット５０のメモリーリード器（Ｍｅｍｏｒｙ reader）と見なされて、当該外部のメモリー例えば、CFカード、スマート媒体（ｓｍａｒｔ  ｍｅｄｉａ）、メモリーカード（Ｍｅｍｏｒｙ stick）、或るいは他の標準インターフェース（Ｓｔａｎｄａｒｄ Ｉｎｔｅｒｆａｃｅ）の外部ストレージユニット、或るいはハードディスク（特に、一寸或るいはもっと小さいハードディスクであって、マイクロドライバ（ｍｉｃｒｏｄｒｉｖｅ）とも称する）である。拡張スロット（Ｅｘｐａｎｓｉｏｎ  Ｓｌｏｔｓ）４０は、標準インターフェース（Ｓｔａｎｄａｒｄ Ｉｎｔｅｒｆａｃｅ）１４を通じて、電気的当該制御モジュール（Ｃｏｎｔｒｏｌ  Ｍｏｄｕｌｅ）１０と連接して、外部ストレージユニット５０を制御モジュール（Ｃｏｎｔｒｏｌ  Ｍｏｄｕｌｅ）１０に連接することに用いられることで、メモリーストレージ装置のメモリー容量を増加させる。メモリー５０は拡張スロット（Ｅｘｐａｎｓｉｏｎ  Ｓｌｏｔｓ）４０に挿し入れた後、制御モジュール（Ｃｏｎｔｒｏｌ  Ｍｏｄｕｌｅ）１０は外部ストレージユニット５０を単一拡張プライベートブロック（Ｐｒｉｖａｔｅ Ｂｌｏｃｋ）として計画することで、後ほど追加の保護されるデータを保存させる。そうすると、本装置は任意の外部ストレージユニット５０によるデータ保護の方法を提供できる。注意する必要があることは、図３の拡張スロット（Ｅｘｐａｎｓｉｏｎ  Ｓｌｏｔｓ）４０と外部ストレージユニット５０はそれぞれ図１の背景アプリケーション状況と図２の前景アプリケーション状況に応用される。
【００３６】
図４は、本発明の第四実施例による携帯式のストレージ装置を示すブロック図である。図４に示すように、本実施例は第二実施例と類似して、同様に前景アプリケーションの状況であって、異なるところは、携帯式のストレージ装置１が更に暗号化／復号化のチップ６０、ストレージインターフェースの拡張スロット７０及びハードディスク／光ディスク８０を含み、しかもストレージユニット（Ｓｔｏｒａｇｅ Ｕｎｉｔ）２０は、プライベートブロック（Ｐｒｉｖａｔｅ Ｂｌｏｃｋ）２４を配置しない。暗号化／復号化チップ６０はストレージインターフェース１６を通して制御モジュール１０に接続される。ストレージインターフェースの拡張スロット７０は、暗号化／復号化のチップ６０に連接される。ハードディスク／光ディスク８０は、ストレージインターフェースの拡張スロット７０及び暗号化／復号化のチップ６０を通じて、制御モジュール（Ｃｏｎｔｒｏｌ  Ｍｏｄｕｌｅ）１０に連接される。本実施例に、特定のプロセスは、ハードディスク／光ディスク８０を端末ホスト（Ｔｅｒｍｉｎａｌ Ｈｏｓｔ）２にアクセスさせられる。端末ホスト（Ｔｅｒｍｉｎａｌ Ｈｏｓｔ）２は、暗号化／復号化のチップ６０及びストレージユニット（Ｓｔｏｒａｇｅ Ｕｎｉｔ）２０中のかキーを通じて、ハードディスク／光ディスク８０をアクセスする。当該ハードディスク／光ディスク８０の一つの実施例は、磁気ディスク（Ｍａｇｎｅｔｉｃ Ｄｉｓｋ）であって、特に、３．５寸、２．５寸、或いは他寸法のハードディスクでもよい。当該ハードディスク／光ディスク８０のもう一つの実施例は、CD−R／RW及びＤＶＤ−Ｒ．ＲＷ及び任意規格の光ディスク装置でもよい。
【００３７】
その他に、当該制御モジュール（Ｃｏｎｔｒｏｌ  Ｍｏｄｕｌｅ）１０は、標準インターフェース（Ｓｔａｎｄａｒｄ Ｉｎｔｅｒｆａｃｅ）１４を提供することで、ストレージユニット（Ｓｔｏｒａｇｅ Ｕｎｉｔ）２０及び生体センサー（Ｂｉｏｍｅｔｒｉｃ ｓｅｎｓｏｒ ３０）と連接して、同時に制御モジュール（Ｃｏｎｔｒｏｌ  Ｍｏｄｕｌｅ）１０は、ホストインターフェース（Ｈｏｓｔ  Ｉｎｔｅｒｆａｃｅ）１２を提供することで、外部の端末ホスト（Ｔｅｒｍｉｎａｌ Ｈｏｓｔ）２と連接して、それが実施例にあるホストインターフェースと同様。ストレージインターフェース（Ｓｔｏｒａｇｅ Ｉｎｔｅｒｆａｃｅ）１６及びストレージインターフェースの拡張スロット７０は、この実施例に、IDEインターフェースであって、ＳＣＳIインターフェース、Ｓｅｒｉａｌ  ＡＴＡインターフェース、Ｃｏｍｐａｃｔ  Ｆｌａｓｈ（ＣＦ）インターフェース、PCMCIAインターフェース或いはＩＥＥＥ１２８４或いは他標準インターフェースでもよい。
【００３８】
ストレージユニット（Ｓｔｏｒａｇｅ Ｕｎｉｔ）２０は、非発揮性メモリーであって、本実施例にフラッシュメモリーであって、一度だけ情報を書き込めるようにしたPＲＯＭ （Ｐｒｏｇｒａｍａｂｌｅ  Ｒｅａｄ  Ｏｎｌｙ  Ｍｅｍｏｒｙ）、読み出し専用記憶装置（ＲＯＭ）或いは、書き込み・消去可能なＲＯＭ （Ｅｐｒｏｍ、Ｅｒａｓａｂｌｅ  Ｐｒｏｇｒａｍａｂｌｅ  ＲＯＭ）でもより。
【００３９】
本発明の一つの実施例に、上記の本発明装置に使用されたのは、制御モジュール（Ｃｏｎｔｒｏｌ  Ｍｏｄｕｌｅ）１０、暗号化／復号化のチップ６０、ストレージユニット（Ｓｔｏｒａｇｅ Ｕｎｉｔ）２０及び生体センサー（Ｂｉｏｍｅｔｒｉｃ ｓｅｎｓｏｒ）３０を含み、更に機能を１チップに積載するシステム（ＳＯＣ、Ｓｙｓｔｅｍ On a Ｃｈｉｐ）の設計構造を通じて、単一のチップと統合することで、コストダウンさせる。
【００４０】
ストレージユニット（Ｓｔｏｒａｇｅ Ｕｎｉｔ）２０は、少なくとも一つの生体認証のアプリケーションを保存するための生体認証のアプリケーションブロック（Ｂｉｏｍｅｔｒｉｃ ＡＰ Ｂｌｏｃｋ）２１、少なくとも一つの生体モールドを保存するための隠れたブロック（Ｈｉｄｄｅｎ Ｂｌｏｃｋ）２６、暗号化／復号化のチップ６０に用いられたかキーを分割する。生体モールドは、かキーを利用して暗号化されたデータである。暗号化／復号化のチップ６０は、ストレージインターフェース（Ｓｔｏｒａｇｅ Ｉｎｔｅｒｆａｃｅ）１６を通じて、制御モジュール（Ｃｏｎｔｒｏｌ  Ｍｏｄｕｌｅ）１０に連接される。
【００４１】
使用プロセスを例として、携帯式のストレージ装置１は端末ホスト（Ｔｅｒｍｉｎａｌ Ｈｏｓｔ）２と接続した後、端末ホスト（Ｔｅｒｍｉｎａｌ Ｈｏｓｔ）２は生体認証のアプリケーションブロック（Ｂｉｏｍｅｔｒｉｃ AP Ｂｌｏｃｋ）２１を光ディスク（Ｏｐｔｉｃａｌ Ｄｉｓｋ）として、端末ホスト（Ｔｅｒｍｉｎａｌ Ｈｏｓｔ）２のオペレーティングシステム（Ｏｐｅｒａｔｉｎｇ Ｓｙｓｔｅｍ）のファイルエクスプローラは、開かれて、ファイルエクスプローラ中に、光ディスク（Ｏｐｔｉｃａｌ Ｄｉｓｋ）を表示する。従って、端末ホスト（Ｔｅｒｍｉｎａｌ Ｈｏｓｔ）２のオペレーティングシステム（Ｏｐｅｒａｔｉｎｇ Ｓｙｓｔｅｍ）は、生体認証アプリケーションブロック２１ （光ディスク）中に配置された生体認証アプリケーションを自動的に実行して背景アプリケーションとさせる。背景アプリケーションは、すぐユーザーを導いて生体認証プロセスを行なう。生体認証プロセスをパスした後、ファームウェア（Ｆｉｒｍｗａｒｅ）は、オペレーティングシステム（Ｏｐｅｒａｔｉｎｇ Ｓｙｓｔｅｍ）が光ディスク（Ｏｐｔｉｃａｌ Ｄｉｓｋ）を閉じることができて、ハードディスク／光ディスク８０に切り替えて、同時に当該制御モジュール（Ｃｏｎｔｒｏｌ  Ｍｏｄｕｌｅ）１０は、当該暗号化／復号化のチップ６０に使用されたかキーをストレージユニット（Ｓｔｏｒａｇｅ Ｕｎｉｔ）２０から当該暗号化／復号化のチップ６０に伝送して、リアルタイム暗号化／復号化（Ｒｅａｌ  Ｔｉｍｅ  Ｅｎｃｒｙｐｔｉｏｎ／Ｄｅｃｒｙｐｔｉｏｎ）の機能でこの携帯式のハードディスク／光ディスク装置をアクセスできる。この時、端末ホスト（Ｔｅｒｍｉｎａｌ Ｈｏｓｔ）のオペレーティングシステム（Ｏｐｅｒａｔｉｎｇ Ｓｙｓｔｅｍ）は、ハードディスク／光ディスク装置８０をリムーバブル式（Ｒｅｍｏｖａｂｌｅ）のハードディスクとする。言い換えれば、オペレーティングシステム（Ｏｐｅｒａｔｉｎｇ Ｓｙｓｔｅｍ）のファイルエクスプローラは、ハードディスク／光ディスク装置８０のリムーバブル式（Ｒｅｍｏｖａｂｌｅ）のハードディスク（ここは、Ｄドライバを称する）を表示できる。
【００４２】
本装置の暗号化／復号化のチップは、共通鍵暗号方式（Ｓｙｍｍｅｔｒｉｃ ｃｒｙｐｔｏｇｒａｐｈｙ）のアルゴリズムを使用して、例えば、DEＳ（データ暗号化規格、Ｄａｔａ  Ｅｎｃｒｙｐｔｉｏｎ  Ｓｔａｎｄａｒｄ）、Ｔｒｉｐｌｅ  ＤＥＳ（三重暗号化のデータ暗号化規格、トリプルＤＥＳ）或いはAES。当該暗号化／復号化のチップは、リアルタイムで１．６ Ｇｂｉｔｓ／ｓｅｃのデータを処理できて、そのため、ハードディスク／光ディスク装置によるデータのアクセスにおいていかなる時間上の延期を生むことはありえなくて、ソフトウェアを利用して暗号化／復号化する方法と比べてもっと効率があって、しかもソフトウェアより容易ではなく解読される。コストの考慮のため、本発明のハードウェアの暗号化／復号化のチップも省略されることができて、ソフトウェアの暗号化／復号化で取り代わられる。本実施例に、ハードディスク／光ディスク装置８０は直接にストレージインターフェース（Ｓｔｏｒａｇｅ Ｉｎｔｅｒｆａｃｅ）１６を通じて制御モジュール（Ｃｏｎｔｒｏｌ  Ｍｏｄｕｌｅ）１０と連接して、ストレージインターフェースの拡張スロット７０が必要ではない。
【００４３】
また、本発明による暗号化／復号化する方法の長所は、暗号化／復号化する機能の秘密鍵が暗号化／復号化チップに保存されていなくて、生体認証のマッチングを完全した後、ストレージユニット（Ｓｔｏｒａｇｅ Ｕｎｉｔ）２０の隠れたブロック（Ｈｉｄｄｅｎ Ｂｌｏｃｋ）２６で伝送して、当該隠れたブロック（Ｈｉｄｄｅｎ Ｂｌｏｃｋ）２６中のデータは更に、個人の生体特徴を利用して暗号化されて、解読して取られることができない。更に、安全度を高めるために、当該秘密鍵は、ソフトウェアで時間の変化に従って生じられる。
【００４４】
生体認証のアプリケーションは、端末ホスト（Ｔｅｒｍｉｎａｌ Ｈｏｓｔ）２に実行される。この時、生体認証のアプリケーションは、生体認証のプロセスを含み、例えば、認証、マッチング。或いは、生体認証のアプリケーションは、携帯式のストレージ装置１に実行されて、下記のように説明する。
【００４５】
図５は、本発明の第五実施例による携帯式のストレージ装置を示すブロック図である。図５に示すように、本実施例の携帯式のストレージ装置１は、第二実施例と類似して、異なるところは、生体センサー（Ｂｉｏｍｅｔｒｉｃ ｓｅｎｓｏｒ）３０が例えば、ディジタル信号処理専用プロセッサ３２の認証プロセッサ（当該プロセッサ３２は更にフラッシュメモリー及びＲＡＭをアプリケーションメモリー及びワーキング・メモリーとする）を通じて、制御モジュール（Ｃｏｎｔｒｏｌ  Ｍｏｄｕｌｅ）１０に連接されて、ディジタル信号処理専用プロセッサ３２は生体認証のプロセスを実行する。生体認証のプロセスをパスした後、制御モジュール（Ｃｏｎｔｒｏｌ  Ｍｏｄｕｌｅ）１０は、ストレージユニット（Ｓｔｏｒａｇｅ Ｕｎｉｔ）２０のプライベートブロック（Ｐｒｉｖａｔｅ Ｂｌｏｃｋ）２４が端末ホスト（Ｔｅｒｍｉｎａｌ Ｈｏｓｔ）２にサクセスされるように設定して、或るいは、信号を端末ホスト（Ｔｅｒｍｉｎａｌ Ｈｏｓｔ）２に発送することで、端末ホスト（Ｔｅｒｍｉｎａｌ Ｈｏｓｔ）２に知らせて前記の特定の機能を実行することができる。認証プロセッサは、制御モジュールと統合して単チップ設計となることができる。本実施例のプロセスは下記の如く。携帯式のストレージ装置１は、端末ホスト（Ｔｅｒｍｉｎａｌ Ｈｏｓｔ）２と連接した後、端末ホスト（Ｔｅｒｍｉｎａｌ Ｈｏｓｔ）２は、生体認証のアプリケーションブロック（Ｂｉｏｍｅｔｒｉｃ AP Ｂｌｏｃｋ）２１を光ディスク（Ｏｐｔｉｃａｌ Ｄｉｓｋ）のストレージ装置として、端末ホスト（Ｔｅｒｍｉｎａｌ Ｈｏｓｔ）２のオペレーティングシステム（Ｏｐｅｒａｔｉｎｇ Ｓｙｓｔｅｍ）のファイルエクスプローラは開かれたら、ファイルエクスプローラに光ディスク（Ｏｐｔｉｃａｌ Ｄｉｓｋ）のストレージ装置とする生体認証のアプリケーションブロック（Ｂｉｏｍｅｔｒｉｃ AP Ｂｌｏｃｋ）２１を表示させる。従って、端末ホスト（Ｔｅｒｍｉｎａｌ Ｈｏｓｔ）２のオペレーティングシステム（Ｏｐｅｒａｔｉｎｇ Ｓｙｓｔｅｍ）は生体認証アプリケーションブロック２１中に保存された生体認証アプリケーションを自動的に実行して前景アプリケーション或るいは背景アプリケーションとさせる。
【００４６】
背景アプリケーションの状況において、端末ホスト（Ｔｅｒｍｉｎａｌ Ｈｏｓｔ）２は、生体認証のアプリケーションブロック（Ｂｉｏｍｅｔｒｉｃ AP Ｂｌｏｃｋ）２１を光ディスク（Ｏｐｔｉｃａｌ Ｄｉｓｋ）のストレージ装置として、ユーザーとデバイスのインターフェースを有する生体認証のアプリケーションを自動的に実行することで、ユーザーを導いて生体センサー（Ｂｉｏｍｅｔｒｉｃ ｓｅｎｓｏｒ）３０を使用することができる。生体センサー（Ｂｉｏｍｅｔｒｉｃ ｓｅｎｓｏｒ）３０は、ユーザーの生体特徴データを検知してディジタル信号処理専用プロセッサ３２に渡せて生体データの認証を行なわせて、認証された後、光ディスク（Ｏｐｔｉｃａｌ Ｄｉｓｋ）のストレージ装置は、見えなくなって、オペレーティングシステム（Ｏｐｅｒａｔｉｎｇ Ｓｙｓｔｅｍ）のファイルエクスプローラにプライベートブロック（Ｐｒｉｖａｔｅ Ｂｌｏｃｋ）２４のリムーバブル式（Ｒｅｍｏｖａｂｌｅ）のハードディスク（ここは、Dドライバを称する）を表示できる。
【００４７】
背景アプリケーションの状況において、背景アプリケーションの機能がインストールされた後、光ディスク（Ｏｐｔｉｃａｌ Ｄｉｓｋ）のストレージ装置は、見えなくなって、オペレーティングシステム（Ｏｐｅｒａｔｉｎｇ Ｓｙｓｔｅｍ）のファイルエクスプローラにパブリックブロック（Ｐｕｂｌｉｃ Ｂｌｏｃｋ）２２の第一リムーバブル式（Ｒｅｍｏｖａｂｌｅ）のハードディスクの内容（ここは、Ｄドライバを称する）を表示できて、Dドライバは、全然生体認証プロセスの必要がならなくて、自由にアクセスできるストレージ容量である。背景アプリケーション機能の呼びを通じて、生体認証アプリケーションは、ユーザーとデバイスのインターフェースに提供して、ユーザーを導いて生体認証プロセスを実行させて、そして、生体センサー（Ｂｉｏｍｅｔｒｉｃ ｓｅｎｓｏｒ）３０は、ユーザーの生体特徴データを検知してディジタル信号処理専用プロセッサ３２に渡せて生体データの認証を行なわせて、認証された後、オペレーティングシステム（Ｏｐｅｒａｔｉｎｇ Ｓｙｓｔｅｍ）のファイルエクスプローラにプライベートブロック（Ｐｒｉｖａｔｅ Ｂｌｏｃｋ）２４の第二リムーバブル式（Ｒｅｍｏｖａｂｌｅ）のハードディスクの内容（ここは、Eドライバを称する）を表示できる。
【００４８】
注意することは、設計結構上のＤドライバとEドライバは、オペレーティングシステム（Ｏｐｅｒａｔｉｎｇ Ｓｙｓｔｅｍ）のファイルエクスプローラに同時に配置することができる。他の設計結構上に、オペレーティングシステム（Ｏｐｅｒａｔｉｎｇ Ｓｙｓｔｅｍ）のファイルエクスプローラは、唯一つのドライバを表示できて、即ち、Dドライバ（パブリックブロック２２）は必ず予め閉じられた後、Eドライバ（プライベートブロック２４）に切り替えられて、或るいはDドライバ（パブリックブロック２２）は、必ず予め閉じられた後、Dドライバ（プライベートブロック２４）に切り替えられる。
【００４９】
また、本発明のもう一つの実施例に、ファームウェア（Ｆｉｒｍｗａｒｅ）は更に、ストレージユニット（Ｓｔｏｒａｇｅ Ｕｎｉｔ）２０を少なくとも一つの生体認証のアプリケーションブロック（Ｂｉｏｍｅｔｒｉｃ ＡＰ Ｂｌｏｃｋ）２１、少なくとも一つのパブリックブロック（Ｐｕｂｌｉｃ Ｂｌｏｃｋ）２２、少なくとも一つのプライベートブロック（Ｐｒｉｖａｔｅ Ｂｌｏｃｋ）２４及び必要ではない隠れたブロック（Ｈｉｄｄｅｎ Ｂｌｏｃｋ）２６に分割させるように設計して、制御モジュール（Ｃｏｎｔｒｏｌ  Ｍｏｄｕｌｅ）１０は端末ホスト（Ｔｅｒｍｉｎａｌ Ｈｏｓｔ）２と連接した後、パブリックブロック（Ｐｕｂｌｉｃ Ｂｌｏｃｋ）２２のデータを表示しているが、特定の機能は、プライベートブロック（Ｐｒｉｖａｔｅ Ｂｌｏｃｋ）２４がアクセスされることである。隠れたブロック（Ｈｉｄｄｅｎ Ｂｌｏｃｋ）２６の設計は、暗号化／復号化するアプリケーションの秘密鍵、生体特徴モールド等の情報を保存するために設計される。勿論、隠れたブロック（Ｈｉｄｄｅｎ Ｂｌｏｃｋ）２６は、生体認証アプリケーションブロック２１と結合するために設計されてもよい。
【００５０】
その他、当該警告メッセージをストップさせるこに関して、前記の説明と同じで、茲に詳しく記述しない。
【００５１】
図６は、本発明の第六実施例による自動実行する生体認証アプリケーションの方法の流れ図である。図６に示すように、この方法は下記のステップを含む、ステップ５００：スタート。ステップ５１０：ストレージ装置のホストインターフェースを通じて、ストレージ装置と端末ホスト（Ｔｅｒｍｉｎａｌ Ｈｏｓｔ）に連接する。ステップ５２０：ストレージ装置のファームウェア（Ｆｉｒｍｗａｒｅ）は、端末ホスト（Ｔｅｒｍｉｎａｌ Ｈｏｓｔ）のオペレーティングシステム（Ｏｐｅｒａｔｉｎｇ Ｓｙｓｔｅｍ）が少なくとも一つの生体認証のアプリケーションブロック（Ｂｉｏｍｅｔｒｉｃ ＡＰ Ｂｌｏｃｋ）を光ディスク（Ｏｐｔｉｃａｌ Ｄｉｓｋ）のストレージ装置とすることができて、光ディスク（Ｏｐｔｉｃａｌ Ｄｉｓｋ）のストレージ装置中の少なくとも一つの生体認証のアプリケーションを自動的に実行することで、ユーザーを導いて認証プロセスを行なうことができる。この生体認証のアプリケーションはスクリーンの前に実行されたため、前景アプリケーションとなる。ステップ５３０：生体認証のアプリケーションはユーザーを導いて認証プロセスを行なう。ステップ５４０：生体認証のプロセスを判断するのは、認証されたらステップ５５０に着いて、また認証されていないなら、ステップ５３０に戻す。ステップ５５０：生体認証のプロセスが成功した後、スイッチは光ディスク（Ｏｐｔｉｃａｌ Ｄｉｓｋ）のストレージ装置の生体認証のアプリケーションブロックと見なされて、しかも特定の機能をエンアブル（ｅｎａｂｌｅ）或いは起動できる。本実施例に、特定の機能は、プライベートブロック（Ｐｒｉｖａｔｅ Ｂｌｏｃｋ）に切り替えて、即ちオペレーティングシステム（Ｏｐｅｒａｔｉｎｇ Ｓｙｓｔｅｍ）がプライベートブロック（Ｐｒｉｖａｔｅ Ｂｌｏｃｋ）をリムーバブル式（Ｒｅｍｏｖａｂｌｅ）のハードディスクと見なさせる。図４のほかの一つの実施例に対応して、オペレーティングシステム（Ｏｐｅｒａｔｉｎｇ Ｓｙｓｔｅｍ）がストレージ装置のハードディスク／光ディスクをリムーバブル式（Ｒｅｍｏｖａｂｌｅ）のハードディスクとしてアクセスする。ステップＳ５６０：終了。
【００５２】
注意することは、前記第一乃至第五実施例の全部機能の方法とプロセスは、適当に本実施例に応用される。
【００５３】
図７は、本発明の第七実施例による自動実行する生体認証アプリケーションの方法の流れ図である。図７に示すように、この方法は下記のステップを含む、ステップ６００：スタート。ステップ６１０：ストレージ装置のホストインターフェースを通じて、ストレージ装置と端末ホスト（Ｔｅｒｍｉｎａｌ Ｈｏｓｔ）に連接する。ステップ６２０：ストレージ装置のファームウェア（Ｆｉｒｍｗａｒｅ）は、端末ホスト（Ｔｅｒｍｉｎａｌ Ｈｏｓｔ）のオペレーティングシステム（Ｏｐｅｒａｔｉｎｇ Ｓｙｓｔｅｍ）が少なくとも一つの生体認証のアプリケーションブロック（Ｂｉｏｍｅｔｒｉｃ ＡＰ Ｂｌｏｃｋ）を光ディスク（Ｏｐｔｉｃａｌ Ｄｉｓｋ）のストレージ装置とすることを表示することで、呼びファンクション（Ｃａｌｌ ｆｕｎｃｔｉｏｎ）を生じて、呼びファンクション（Ｃａｌｌ ｆｕｎｃｔｉｏｎ）は、システムトレー（Ｓｙｓｔｅｍ Ｔｒａｙ）、マウス右キーのトレー或いはオペレーティングシステム（Ｏｐｅｒａｔｉｎｇ Ｓｙｓｔｅｍ）中のアプリケーショントレーに位置されて、呼び機能が生じられた後、光ディスク（Ｏｐｔｉｃａｌ Ｄｉｓｋ）のストレージ装置の当該生体認証のアプリケーションブロックのスイッチと見なされて、パブリックブロック（Ｐｕｂｌｉｃ Ｂｌｏｃｋ）の内容（ここは、Dドライバを称する）を表示できて、Dドライバは、全然生体認証プロセスの必要がならなくて、自由にアクセスできるストレージ容量である。言い換えれば、オペレーティングシステム（Ｏｐｅｒａｔｉｎｇ Ｓｙｓｔｅｍ）は、パブリックブロック（Ｐｕｂｌｉｃ Ｂｌｏｃｋ）をリムーバブル式（Ｒｅｍｏｖａｂｌｅ）のハードディスクとする。この生体認証のアプリケーションは、ユーザーの呼び信号に従い、スクリーン前に移されて、下記の説明に如く：ステップ６３０：呼び機能が呼ばれるかどうかを検知して、呼ばれる場合にステップ６４０着いて、呼ばれない場合に、背景呼び機能が呼ばれるかどうかを検知し続ける。ステップ６４０：ユーザーに生体認証のアプリケーションを表させることで、ユーザーを導いて、認証プロセスを行なう。ステップ６５０：生体認証のプロセスを判断するのは、認証されたらステップ６６０に着いて、また認証されていないなら、ステップ６４０に戻す。ステップ６６０：生体認証のプロセスが成功した後、特定の機能をエンアブル（ｅｎａｂｌｅ）或いは起動できる。本実施例に、特定の機能は、プライベートブロック（Ｐｒｉｖａｔｅ Ｂｌｏｃｋ）に切り替えて、即ちオペレーティングシステム（Ｏｐｅｒａｔｉｎｇ Ｓｙｓｔｅｍ）がプライベートブロック（Ｐｒｉｖａｔｅ Ｂｌｏｃｋ）をリムーバブル式（Ｒｅｍｏｖａｂｌｅ）のハードディスクと見なさせる。例えば、オペレーティングシステム（Ｏｐｅｒａｔｉｎｇ Ｓｙｓｔｅｍ）のファイルエクスプローラにプライベートブロック（Ｐｒｉｖａｔｅ Ｂｌｏｃｋ）の第二をリムーバブル式（Ｒｅｍｏｖａｂｌｅ）のハードディスク（ここは、Ｅドライバを称する）の内容を表示できるが、或るいはＤドライバとなる。ステップＳ６８０：終了。
【００５４】
注意することは、前記第一乃至第五実施例の全部機能の方法とプロセスは、適当に本実施例に応用される。
【００５５】
本発明の前記の携帯式のストレージ装置１を介して、ユーザーはアプリケーションを持ち歩きできて、携帯式のストレージ装置１は、各種異なる端末ホスト（Ｔｅｒｍｉｎａｌ Ｈｏｓｔ）に適用できて、マニュアルで特別のアプリケーションをインストールする必要がない。ユーザーはただハードウェアの挿し、抜き取りのことをしてもよい、全然ソフトウェアのインストールを心配する必要がない。同時に、生体認証プロセスの実行で、有効に携帯式のストレージ装置１中のプライベートのデータを保護できる。
【図面の簡単な説明】
【００５６】
【図１】本発明の第一実施例による携帯式のストレージ装置を示すブロック図である。
【図２】本発明の第二実施例による携帯式のストレージ装置を示すブロック図である。
【図３】本発明の第三実施例による携帯式のストレージ装置を示すブロック図である。
【図４】本発明の第四実施例による携帯式のストレージ装置を示すブロック図である。
【図５】本発明の第五実施例による携帯式のストレージ装置を示すブロック図である。
【図６】本発明の第六実施例による自動実行する生体認証アプリケーションの方法の流れ図である。
【図７】本発明の第七実施例による自動実行する生体認証アプリケーションの方法の流れ図である。
【符号の説明】
【００５７】
１  携帯式のストレージ装置
２  端末ホスト（Ｔｅｒｍｉｎａｌ Ｈｏｓｔ）
１０  制御モジュール（Ｃｏｎｔｒｏｌ  Ｍｏｄｕｌｅ）
１０Ａ  マイクロプロセッサー（Ｍｉｃｒｏｐｒｏｃｅｓｓｏｒ）
１０Ｂ  ランダムアクセスメモリＲＡＭ（Ｒａｎｄｏｍ Ａｃｃｅｓｓ Ｍｅｍｏｒｙ）
１０Ｃ  読み出し専用記憶装置ＲＯＭ（Ｒａｎｄｏｍ Ａｃｃｅｓｓ Ｍｅｍｏｒｙ）
１２  ホストインターフェース（Ｈｏｓｔ  Ｉｎｔｅｒｆａｃｅ）
１４  標準インターフェース（Ｓｔａｎｄａｒｄ Ｉｎｔｅｒｆａｃｅ）
１６  ストレージインターフェース（Ｓｔｏｒａｇｅ Ｉｎｔｅｒｆａｃｅ）
２０  ストレージユニット（Ｓｔｏｒａｇｅ Ｕｎｉｔ）
２１  生体認証のアプリケーションブロック（Ｂｉｏｍｅｔｒｉｃ ＡＰ Ｂｌｏｃｋ）
２２  パブリックブロック（Ｐｕｂｌｉｃ Ｂｌｏｃｋ）
２４  プライベートブロック（Ｐｒｉｖａｔｅ Ｂｌｏｃｋ）
２６  隠れたブロック（Ｈｉｄｄｅｎ Ｂｌｏｃｋ）
３０  生体センサー（Ｂｉｏｍｅｔｒｉｃ ｓｅｎｓｏｒ）
３２  ディジタル信号処理専用プロセッサ
４０  拡張スロット（Ｅｘｐａｎｓｉｏｎ  Ｓｌｏｔｓ）
５０  外部ストレージユニット
６０  暗号化／復号化のチップ
７０  ストレージインターフェースの拡張スロット
８０  ハードディスク／光ディスク
【図１】
2006338670.tif 000003
【図２】
2006338670.tif 000004
【図３】
2006338670.tif 000005
【図４】
2006338670.tif 000006
【図５】
2006338670.tif 000007
【図６】
2006338670.tif 000008
【図７】
2006338670.tif 000009